(57)【要約】【課題】快適な使用感をユーザに提供できるエアーマッサージ装置を提供する。【解決手段】エアーマッサージ装置１は身体の対象部位に装着される装着部１０と、装着部１０に設けられるマッサージ部５０と、マッサージ部５０について防音する防音部９４とを備える。【選択図】図１２
2019205628.tif 000002
【特許請求の範囲】
【請求項１】
身体の対象部位に装着される装着部と、
前記装着部に設けられるマッサージ部と、
前記マッサージ部について防音する防音部とを備える
エアーマッサージ装置。
【請求項２】
前記防音部は前記マッサージ部に設けられる
請求項１に記載のエアーマッサージ装置。
【請求項３】
前記装着部は重ね合わせられる第１生地および第２生地を含み、
前記マッサージ部は前記第１生地と前記第２生地との間に設けられる
請求項２に記載のエアーマッサージ装置。
【請求項４】
前記防音部はサイレンサを含む
請求項１〜３のいずれか一項に記載のエアーマッサージ装置。
【請求項５】
前記マッサージ部はエアーポンプを含み、
前記サイレンサは前記エアーポンプから吐出される空気の音を消音する
請求項４に記載のエアーマッサージ装置。
【請求項６】
前記マッサージ部は前記対象部位をマッサージするエアーバッグ、および、前記エアーポンプと前記エアーバッグとを接続する供給路を含み、
前記サイレンサは前記供給路に設けられる
請求項５に記載のエアーマッサージ装置。
【請求項７】
前記マッサージ部は互いに独立して動作する複数のエアーバッグを含み、
前記複数のエアーバッグは前記対象部位の周囲方向に対応する前記装着部の第１方向に並ぶ第１エアーバッグおよび第２エアーバッグを含む
請求項１〜６のいずれか一項に記載のエアーマッサージ装置。
【請求項８】
前記第２エアーバッグは前記第１方向において前記第１エアーバッグを挟むように構成される
請求項７に記載のエアーマッサージ装置。
【請求項９】
前記第２エアーバッグは、前記第１方向において前記第１エアーバッグの一方の側部の隣に位置する第１側部エアーバッグ、前記第１方向において前記第１エアーバッグの他方の側部の隣に位置する第２側部エアーバッグ、および、前記第１側部エアーバッグと前記第２側部エアーバッグとを繋げる連結部を含む
請求項８に記載のエアーマッサージ装置。
【請求項１０】
前記連結部は前記第１方向に長く、
前記対象部位の長手方向に対応する前記装着部の第２方向における前記連結部の幅は、前記第１方向における前記第１側部エアーバッグの幅、および、前記第１方向における前記第２側部エアーバッグの幅よりも狭い
請求項９に記載のエアーマッサージ装置。
【請求項１１】
前記連結部の幅は前記第２エアーバッグに空気が供給される場合に前記連結部が実質的に膨張しないように決められる
請求項１０に記載のエアーマッサージ装置。
【請求項１２】
前記複数のエアーバッグは前記対象部位の長手方向に対応する前記装着部の第２方向において、前記第１エアーバッグおよび前記第２エアーバッグの少なくとも一方と並ぶ第３エアーバッグをさらに含む
請求項７〜１１のいずれか一項に記載のエアーマッサージ装置。
【請求項１３】
前記複数のエアーバッグは前記対象部位の長手方向に対応する前記装着部の第２方向において、前記第１エアーバッグとの間に前記連結部を挟むように構成される第３エアーバッグをさらに含む
請求項１０または１１に記載のエアーマッサージ装置。
【発明の詳細な説明】
【技術分野】
【０００１】
本発明は身体の対象部位に装着されるエアーマッサージ装置に関する。
【背景技術】
【０００２】
身体の対象部位をマッサージするために対象部位に装着されるエアーマッサージ装置が知られている。特許文献１は従来のエアーマッサージ装置の一例を開示している。このエアーマッサージ装置は、身体の対象部位に装着される装着部、装着部に設けられるエアーバッグ、および、エアーバッグに空気を供給するエアーポンプを備える。エアーポンプの動作によりエアーバッグが膨張することによって対象部位がマッサージされる。
【先行技術文献】
【特許文献】
【０００３】
【特許文献１】特開２０１４−８２２７号公報
【発明の概要】
【発明が解決しようとする課題】
【０００４】
エアーマッサージ装置は例えば対象部位のマッサージによりリラックスするために使用される。この点からエマーマッサージ装置の使用感は快適であることが好ましい。
【課題を解決するための手段】
【０００５】
本発明に関するエアーマッサージ装置の一形態は、身体の対象部位に装着される装着部と、前記装着部に設けられるマッサージ部と、前記マッサージ部について防音する防音部とを備える。
【発明の効果】
【０００６】
本発明に関するエアーマッサージ装置によれば、快適な使用感をユーザに提供できる。
【図面の簡単な説明】
【０００７】
【図１】実施の形態のエアーマッサージ装置の正面図。
【図２】図１のエアーマッサージ装置の背面図。
【図３】図１のエアーマッサージ装置の一部を省略した状態を示す正面図。
【図４】図３のエアーバッグの正面図。
【図５】図３の本体の正面を示す分解斜視図。
【図６】図５のベースの正面図。
【図７】図３の本体の背面を示す分解斜視図。
【図８】図７のベースの背面図。
【図９】図３の脚被覆部が下腿に取り付けられた状態の一例を示す背面図。
【図１０】図３の脚被覆部が下腿に取り付けられた状態の一例を示す側面図。
【図１１】図９のＤ１１−Ｄ１１線に沿う断面図。
【図１２】図１のエアーマッサージ装置において、操作装置と本体との接続関係を示す正面図。
【図１３】図１のエアーマッサージ装置において、第３生地が捲られた状態を示す正面図。
【図１４】図１３のＤ１４−Ｄ１４線に沿う断面図。
【図１５】図１のエアーマッサージ装置のブロック図。
【図１６】図１のエアーマッサージ装置の使用状態の一例を示す斜視図。
【図１７】図１のエアーマッサージ装置の使用状態の一例を示す斜視図。
【発明を実施するための形態】
【０００８】
（エアーマッサージ装置が取り得る形態の一例）
（１）本発明に関するエアーマッサージ装置の一形態は、身体の対象部位に装着される装着部と、前記装着部に設けられるマッサージ部と、前記マッサージ部について防音する防音部とを備える。上記エアーマッサージ装置によれば、マッサージ部の動作に起因する音が防音されるため、快適な使用感をユーザに提供できる。
【０００９】
（２）前記エアーマッサージ装置の一例によれば、前記防音部は前記マッサージ部に設けられる。上記エアーマッサージ装置によれば、マッサージ部と防音部との距離が近づけられるため、マッサージ部の動作に起因する音を好適に防音できる。このため、快適な使用感をユーザに提供できる。また、エアーマッサージ装置を簡素に構成できる。
【００１０】
（３）前記エアーマッサージ装置の一例によれば、前記装着部は重ね合わせられる第１生地および第２生地を含み、前記マッサージ部は前記第１生地と前記第２生地との間に設けられる。上記エアーマッサージ装置によれば、マッサージ部の動作に起因する音が第１生地および第２生地により防音されるため、快適な使用感をユーザに提供できる。
【００１１】
（４）前記エアーマッサージ装置の一例によれば、前記防音部はサイレンサを含む。上記エアーマッサージ装置によれば、防音部を簡素に構成できる。
（５）前記エアーマッサージ装置の一例によれば、前記マッサージ部はエアーポンプを含み、前記サイレンサは前記エアーポンプから吐出される空気の音を消音する。上記エアーマッサージ装置によれば、エアーポンプから吐出される空気の音が消音されるため、快適な使用感をユーザに提供できる。
【００１２】
（６）前記エアーマッサージ装置の一例によれば、前記マッサージ部は前記対象部位をマッサージするエアーバッグ、および、前記エアーポンプと前記エアーバッグとを接続する供給路を含み、前記サイレンサは前記供給路に設けられる。上記エアーマッサージ装置によれば、エアーポンプから吐出される空気の音がエアーバッグに伝達される前にサイレンサにより消音されるため、エアーポンプから吐出される空気の音を好適に防音できる。このため、快適な使用感をユーザに提供できる。
【００１３】
（７）前記エアーマッサージ装置の一例によれば、前記マッサージ部は互いに独立して動作する複数のエアーバッグを含み、前記複数のエアーバッグは前記対象部位の周囲方向に対応する前記装着部の第１方向に並ぶ第１エアーバッグおよび第２エアーバッグを含む。上記エアーマッサージ装置によれば、複数のエアーバッグにより対象部位がマッサージされるため、多様なマッサージ効果をユーザに提供できる。
【００１４】
（８）前記エアーマッサージ装置の一例によれば、前記第２エアーバッグは前記第１方向において前記第１エアーバッグを挟むように構成される。上記エアーマッサージ装置によれば、第２エアーバッグが膨張することによって、対象部位を揉むような感覚がユーザに与えられる。このため、多様なマッサージ効果をユーザに提供できる。
【００１５】
（９）前記エアーマッサージ装置の一例によれば、前記第２エアーバッグは、前記第１方向において前記第１エアーバッグの一方の側部の隣に位置する第１側部エアーバッグ、前記第１方向において前記第１エアーバッグの他方の側部の隣に位置する第２側部エアーバッグ、および、前記第１側部エアーバッグと前記第２側部エアーバッグとを繋げる連結部を含む。上記エアーマッサージ装置によれば、多様なマッサージ効果をユーザに提供できる。
【００１６】
（１０）前記エアーマッサージ装置の一例によれば、前記連結部は前記第１方向に長く、前記対象部位の長手方向に対応する前記装着部の第２方向における前記連結部の幅は、前記第１方向における前記第１側部エアーバッグの幅、および、前記第１方向における前記第２側部エアーバッグの幅よりも狭い。上記エアーマッサージ装置によれば、第１側部エアーバッグおよび第２側部エアーバッグが連結部よりも膨張するため、第２エアーバッグによるマッサージ効果が高められる。
【００１７】
（１１）前記エアーマッサージ装置の一例によれば、前記連結部の幅は前記第２エアーバッグに空気が供給される場合に前記連結部が実質的に膨張しないように決められる。上記エアーマッサージ装置によれば、第２エアーバッグによるマッサージ効果が高められる。
【００１８】
（１２）前記エアーマッサージ装置の一例によれば、前記複数のエアーバッグは前記対象部位の長手方向に対応する前記装着部の第２方向において、前記第１エアーバッグおよび前記第２エアーバッグの少なくとも一方と並ぶ第３エアーバッグをさらに含む。上記エアーマッサージ装置によれば、多様なマッサージ効果をユーザに提供できる。
【００１９】
（１３）前記エアーマッサージ装置の一例によれば、前記複数のエアーバッグは前記対象部位の長手方向に対応する前記装着部の第２方向において、前記第１エアーバッグとの間に前記連結部を挟むように構成される第３エアーバッグをさらに含む。一般的なエアーバッグは縁から中央に近づくにつれて膨張量が大きくなる。すなわち、エアーバッグの縁に近い部分は膨張量が比較的小さい。上記エアーマッサージ装置によれば、第２エアーバッグの連結部が第１エアーバッグと第３エアーバッグとの間に設けられるため、膨張量の比較的小さい部分が連結部およびその周辺に集中する。この場合、複数のエアーバッグのうちの連結部およびその周辺以外の部分が効率よく膨張する。このため、複数のエアーバッグにより対象部位を好適にマッサージできる。
【００２０】
（実施の形態）
図１を参照して、エアーマッサージ装置セットの構成について説明する。
エアーマッサージ装置セットは左半身のマッサージに適した左半身用のエアーマッサージ装置１、および、右半身のマッサージに適した右半身用のエアーマッサージ装置（図示略）を含む。左半身用のエアーマッサージ装置１の構成は右半身用のエアーマッサージ装置の構成と実質的に同じである。左半身用のエアーマッサージ装置１の機能は右半身用のエアーマッサージ装置の機能と実質的に同じである。左半身用のエアーマッサージ装置１の形状は右半身用のエアーマッサージ装置の形状と左右対称の関係を有する。以下の説明では、左半身用のエアーマッサージ装置１について詳細に説明し、右半身用のエアーマッサージ装置に関する説明を省略する。
【００２１】
エアーマッサージ装置１を構成する主な要素は装着部１０、マッサージ部５０、および、操作装置１１０である。装着部１０は身体の対象部位に装着される。対象部位は上肢または下肢である。一例では、対象部位は下腿Ｌ（図１６参照）である。装着部１０は例えば下腿Ｌに巻き付けるように装着されるアタッチメントである。マッサージ部５０は対象部位のマッサージに寄与する部分である。マッサージ部５０は装着部１０に設けられる。操作装置１１０はエアーマッサージ装置１の動作に関する情報を入力可能である。操作装置１１０は例えば装着部１０に取り付けられる。一例では、操作装置１１０の操作に応じてマッサージ部５０が動作する。
【００２２】
装着部１０を構成する主な要素は脚被覆部２０、調節部３０、および、結合分離部４０である。脚被覆部２０は下腿Ｌに巻き付け可能な帯である。脚被覆部２０は下腿Ｌを締め付けることに寄与する部分を含む。脚被覆部２０は重ね合わせられる第１生地２１および第２生地２２（図２参照）を含む。第１生地２１は例えば脚被覆部２０の外面を構成する外布である。第２生地２２は例えば脚被覆部２０の内面を構成する内布である。すなわち、第２生地２２は脚被覆部２０が下腿Ｌに装着されることにより下腿Ｌと接触する。一例では、第１生地２１の縁２１Ａと第２生地２２の縁２２Ａとが縫い合わせられることによって脚被覆部２０が構成される。マッサージ部５０は例えば第１生地２１と第２生地２２との間に設けられる。
【００２３】
脚被覆部２０を構成する主な要素は第１部分２４および第２部分２７である。第１部分２４は脚被覆部２０が下腿Ｌに装着された状態において外観を構成する部分である。第１部分２４は主部分２５および副部分２６を含む。主部分２５は脚被覆部２０が下腿Ｌに装着された状態において下腿Ｌを締め付ける締付部２５Ａ、および、締付部２５Ａにより下腿Ｌの腓腹筋まわりの部分を締め付けるために利用される第１脚締部２５Ｃを含む。締付部２５Ａはマッサージ部５０を収容する収容部２５Ｂを含む。一例では、収容部２５Ｂは締付部２５Ａを構成する第１生地２１と第２生地２２との間の空間である。第１脚締部２５Ｃは例えば下腿Ｌの周囲方向に対応する装着部１０の第１方向Ｄ１において、締付部２５Ａから延びるように設けられる。一例では、第１脚締部２５Ｃは第１方向Ｄ１における脚被覆部２０の一方の端部（以下「第１端部２０Ａ」）を構成する。第１脚締部２５Ｃは例えば締付部２５Ａと連続するように構成される。
【００２４】
副部分２６は例えば主部分２５とは別体に構成される。副部分２６は締付部２５Ａにより下腿Ｌのヒラメ筋まわりの部分を締め付けるために利用される第２脚締部２６Ａを含む。第２脚締部２６Ａは下腿Ｌの長手方向に対応する装着部１０の第２方向Ｄ２において、第１脚締部２５Ｃの下方に設けられる。第２脚締部２６Ａは例えば第１方向において締付部２５Ａから延びるように設けられる。一例では、第２脚締部２６Ａは脚被覆部２０の第１端部２０Ａを構成する。
【００２５】
第２部分２７は脚被覆部２０が下腿Ｌに装着された状態において第１部分２４に覆われる部分である。具体的には、脚被覆部２０が下腿Ｌに装着される場合、第２部分２７の少なくとも一部が第１脚締部２５Ｃおよび第２脚締部２６Ａにより覆われる（図１６参照）。第２部分２７は第１部分２４とは別体に構成される。一例では、第２部分２７は第１方向Ｄ１における脚被覆部２０の他方の端部（以下「第２端部２０Ｂ」）を構成する。
【００２６】
調節部３０は脚被覆部２０の装着サイズを調節可能な構造を有する。装着サイズは脚被覆部２０が下腿Ｌに装着された状態における脚被覆部２０の周囲方向の長さを規定する。具体的には、装着サイズは脚被覆部２０が下腿Ｌに装着された状態における脚被覆部２０の内周を規定する。一例では、脚被覆部２０の装着サイズが調節部３０により調節されることによって、脚被覆部２０が下腿Ｌを締め付ける強さが変更される。
【００２７】
調節部３０は第１調節部３１および第２調節部３３を含む。第１調節部３１は例えば脚被覆部２０における下腿Ｌの腓腹筋まわりの部分と対応する部分に設けられる。第１調節部３１の構成は任意に選択できる。一例では、第１調節部３１は面ファスナ３２により構成される。面ファスナ３２はフック３２Ａおよびループ３２Ｂ（図２参照）を含む。フック３２Ａは例えば第２部分２７の第１生地２１において、第１脚締部２５Ｃと対応する部分に設けられる。ループ３２Ｂは例えば少なくとも第１脚締部２５Ｃの第２生地２２に設けられる（図２参照）。図２に示される例では、ループ３２Ｂは第１方向Ｄ１において第１脚締部２５Ｃから締付部２５Ａに跨るように、第１部分２４の第２生地２２に設けられる。
【００２８】
図１に示されるように、第２調節部３３は例えば脚被覆部２０における下腿Ｌのヒラメ筋まわりの部分と対応する部分に設けられる。第２調節部３３の構成は任意に選択できる。一例では、第２調節部３３は面ファスナ３４により構成される。面ファスナ３４はフック３４Ａおよびループ３４Ｂ（図２参照）を含む。フック３４Ａは例えば第２部分２７の第１生地２１において、第２脚締部２６Ａと対応する部分に設けられる。ループ３４Ｂは例えば第２脚締部２６Ａの第２生地２２に設けられる（図２参照）。一例では、脚被覆部２０が下腿Ｌに巻き付けられ、脚被覆部２０が下腿Ｌにフィットするように各ループ３２Ｂ、３４Ｂが対応するフック３２Ａ、３４Ａに貼り合わせられることによって、脚被覆部２０が下腿Ｌに適切に装着される。脚被覆部２０が下腿Ｌにフィットする状態では、脚被覆部２０の装着サイズが適切に設定されている。
【００２９】
結合分離部４０は第１部分２４と第２部分２７とを結合および分離可能に構成される。具体的には、結合分離部４０は脚被覆部２０の装着サイズが保持された状態において、第１部分２４と第２部分２７とを結合および分離可能に構成される。すなわち、第１部分２４と第２部分２７との境界は結合分離部４０により規定される。結合分離部４０は例えば第１方向Ｄ１において脚被覆部２０のうちの第２端部２０Ｂ寄りに設けられる。
【００３０】
結合分離部４０の構成は任意に選択できる。一例では、結合分離部４０は線ファスナ４１により構成される。線ファスナ４１は例えば開製品として構成される。線ファスナ４１は第２方向Ｄ２に延びるように脚被覆部２０に設けられる。一例では、線ファスナ４１は脚被覆部２０の第１方向Ｄ１における中心に対して傾斜している。線ファスナ４１のスライダ４１Ａが第２方向Ｄ２に操作されることによって、第１部分２４と第２部分２７とが結合または分離される。一例では、線ファスナ４１のスライダ４１Ａが第２方向Ｄ２における上方向に操作されることにより第１部分２４と第２部分２７とが分離され、スライダ４１Ａが第２方向Ｄ２における下方向に操作されることにより第１部分２４と第２部分２７とが結合される。
【００３１】
脚被覆部２０は第１生地２１の一部を覆う第３生地２３をさらに含む。図１３に示されるように、第３生地２３は例えば第３生地２３の少なくとも一部を捲ることができるように第１生地２１に取り付けられる。第３生地２３を捲ることが可能な範囲は、第１生地２１から露出するマッサージ部５０の一部を外部に露出させることが可能な範囲において設定される。すなわち、第３生地２３を捲ることによりマッサージ部５０の一部が外部に露出する。
【００３２】
脚被覆部２０は第１生地２１と第３生地２３とを結合させる結合部２８をさらに含む。結合部２８の構成は任意に選択できる。一例では、結合部２８はスナップボタンである。結合部２８は凸部２８Ａおよび凹部２８Ｂを含む。凸部２８Ａは例えば第３生地２３の先端２３Ａに設けられる。具体的には、凸部２８Ａは第３生地２３の先端２３Ａにおいて第１生地２１と対向する部分に設けられる。第３生地２３の先端２３Ａは第３生地２３のうちの第２端部２０Ｂ寄りの部分である。凹部２８Ｂは例えば第１生地２１のうちの凸部２８Ａと対応する部分に設けられる。一例では、凸部２８Ａが凹部２８Ｂに嵌め合わせられることによって第３生地２３が第１生地２１に結合され、マッサージ部５０の一部が外部に露出しない状態が形成される（図１参照）。また、凸部２８Ａと凹部２８Ｂとを分離させることによって、第３生地２３の少なくとも一部を捲ることが可能な状態が形成される（図１３参照）。
【００３３】
図３に示されるように、マッサージ部５０を構成する主な要素は少なくとも１つのエアーバッグ６０および本体７０である。一例では、マッサージ部５０を構成する主な要素は複数のエアーバッグ６０および本体７０である。複数のエアーバッグ６０および本体７０は互いに機能的に結合し、マッサージ部５０を構成する。複数のエアーバッグ６０は下腿Ｌをマッサージする。複数のエアーバッグ６０は互いに独立して動作する。複数のエアーバッグ６０により下腿Ｌがマッサージされるため、多様なマッサージ効果をユーザに提供できる。複数のエアーバッグ６０は例えば互いに溶着された一対のシート６０Ａにより構成される。一対のシート６０Ａを構成する材料は任意に選択できる。一例では、一対のシート６０Ａを構成する材料は柔軟性を有するシリコーンゴムである。複数のエアーバッグ６０は第１生地２１と第２生地２２との間に設けられる。一例では、複数のエアーバッグ６０は第２生地２２に取り付けられる。本体７０は複数のエアーバッグ６０を膨張および収縮させる。一例では、本体７０は第２生地２２との間に複数のエアーバッグ６０を挟むように複数のエアーバッグ６０に取り付けられる。なお、図３のエアーマッサージ装置１は第１生地２１、および、第１生地２１と関係する要素の一部を省略している。
【００３４】
図４に示されるように、複数のエアーバッグ６０は第１エアーバッグ６１、第２エアーバッグ６２、および、第３エアーバッグ６３を含む。一例では、各エアーバッグ６１〜６３を区画するように一対のシート６０Ａが互いに溶着されることによって複数のエアーバッグ６０が構成される。第１エアーバッグ６１および第２エアーバッグ６２は第１方向Ｄ１に並ぶ。第１エアーバッグ６１は第１方向Ｄ１における脚被覆部２０の中央に設けられる。第１エアーバッグ６１は例えば腓腹筋の後方をマッサージする。第１エアーバッグ６１は例えば第２方向Ｄ２に長い。
【００３５】
第２エアーバッグ６２は第１方向Ｄ１において第１エアーバッグ６１を挟むように構成される。第２エアーバッグ６２は例えば腓腹筋の側方をマッサージする。第２エアーバッグ６２は第１側部エアーバッグ６２Ａ、第２側部エアーバッグ６２Ｂ、および、連結部６２Ｃを含む。第１側部エアーバッグ６２Ａは第１方向Ｄ１において第１エアーバッグ６１の一方の側部６１Ａの隣に位置する。第１側部エアーバッグ６２Ａは例えば第２方向Ｄ２に長い。第２側部エアーバッグ６２Ｂは第１方向Ｄ１において第１エアーバッグ６１の他方の側部６１Ｂの隣に位置する。第２側部エアーバッグ６２Ｂは例えば第２方向Ｄ２に長い。一例では、第１側部エアーバッグ６２Ａと第２側部エアーバッグ６２Ｂとの間に第１エアーバッグ６１が設けられる。このため、第２エアーバッグ６２が膨張することによって、下腿Ｌを揉むような感覚がユーザに与えられる。また、第２エアーバッグ６２が膨張した状態で第１エアーバッグ６１が膨張する場合、第１エアーバッグ６１の第１方向Ｄ１への膨張が第２エアーバッグ６２により規制されるため、第１エアーバッグ６１の下腿Ｌ側への膨張量が大きくなる。第１側部エアーバッグ６２Ａおよび第２側部エアーバッグ６２Ｂは、脚被覆部２０の第１方向Ｄ１における中心線に対して線対称の関係を有する。連結部６２Ｃは第１側部エアーバッグ６２Ａと第２側部エアーバッグ６２Ｂとを繋げる。連結部６２Ｃは第１方向Ｄ１に長い。一例では、第１側部エアーバッグ６２Ａの膨張量と第２側部エアーバッグ６２Ｂの膨張量とが実質的に同じになるように連結部６２Ｃを空気が流通する。
【００３６】
第２方向Ｄ２における連結部６２Ｃの幅ＷＣは、第１方向Ｄ１における第１側部エアーバッグ６２Ａの幅ＷＡ、および、第１方向Ｄ１における第２側部エアーバッグ６２Ｂの幅ＷＢよりも狭い。一例では、連結部６２Ｃの幅ＷＣは、第１側部エアーバッグ６２Ａのうちの最も狭い部分の幅ＷＡ、および、第２側部エアーバッグ６２Ｂのうちの最も狭い部分の幅ＷＢよりも狭い。第１側部エアーバッグ６２Ａの幅ＷＡは第２側部エアーバッグ６２Ｂの幅ＷＢと実質的に同じである。この場合、第１側部エアーバッグ６２Ａおよび第２側部エアーバッグ６２Ｂが連結部６２Ｃよりも膨張するため、第２エアーバッグ６２によるマッサージ効果が高められる。連結部６２Ｃの幅ＷＣは第２エアーバッグ６２に空気が供給される場合に連結部６２Ｃが実質的に膨張しないように決められる。連結部６２Ｃが実質的に膨張しない場合、下腿Ｌのうちの連結部６２Ｃと対応する部分が実質的にマッサージされない。第２エアーバッグ６２のうちの本体７０と重畳する部分の面積は、第１エアーバッグ６１のうちの本体７０と重畳する部分の面積、および、第３エアーバッグ６３のうちの本体７０と重畳する部分の面積よりも小さい。
【００３７】
第３エアーバッグ６３は第２方向Ｄ２において第１エアーバッグ６１および第２エアーバッグ６２の少なくとも一方と並ぶ。第３エアーバッグ６３は例えばヒラメ筋まわりをマッサージする。第３エアーバッグ６３は第１方向Ｄ１に長い。一例では、第３エアーバッグ６３は第２方向Ｄ２において第１エアーバッグ６１との間に連結部６２Ｃを挟むように構成される。第３エアーバッグ６３は例えば第２方向Ｄ２において第１エアーバッグ６１および第２エアーバッグ６２よりも下方に配置される。第３エアーバッグ６３は第１方向Ｄ１において連結部６２Ｃを挟むように構成される。
【００３８】
一般的なエアーバッグは縁から中央に近づくにつれて膨張量が大きくなる。すなわち、エアーバッグの縁に近い部分は膨張量が比較的小さい。エアーマッサージ装置１では、第２エアーバッグ６２の連結部６２Ｃが第１エアーバッグ６１と第３エアーバッグ６３との間に設けられるため、膨張量の比較的小さい部分が連結部６２Ｃおよびその周辺に集中する。この場合、複数のエアーバッグ６０のうちの連結部６２Ｃおよびその周辺以外の部分が効率よく膨張する。このため、複数のエアーバッグ６０により下腿Ｌを好適にマッサージできる。
【００３９】
第１エアーバッグ６１には第１供給口６４Ａが設けられる。一例では、第１供給口６４Ａを介して空気が供給または排出され、第１エアーバッグ６１が膨張または収縮する。第２エアーバッグ６２には第２供給口６４Ｂが設けられる。一例では、第２供給口６４Ｂを介して空気が供給または排出され、第２エアーバッグ６２が膨張または収縮する。第２供給口６４Ｂの配置は任意に選択できる。一例では、第２供給口６４Ｂは連結部６２Ｃに設けられる。第３エアーバッグ６３には第３供給口６４Ｃが設けられる。一例では、第３供給口６４Ｃを介して空気が供給または排出され、第３エアーバッグ６３が膨張または収縮する。第１供給口６４Ａ、第２供給口６４Ｂ、および、第３供給口６４Ｃは第２方向Ｄ２に沿って並べられる。一例では、第１供給口６４Ａおよび第３供給口６４Ｃは第２方向Ｄ２において連結部６２Ｃを挟む。このように、各供給口６４Ａ〜６４Ｃが互いに近づけられるため、各供給口６４Ａ〜６４Ｃに接続される供給路９２（図６参照）を集中させることができるため、エアーマッサージ装置１を簡素に構成できる。
【００４０】
図５〜図８を参照して、本体７０の構成について説明する。
図５に示されるように、本体７０を構成する主な要素はケース８０、エアーポンプ９０、流路切替部１００、電源部９１、供給路９２、および、制御部９３である。ケース８０、エアーポンプ９０、流路切替部１００、電源部９１、供給路９２、および、制御部９３は互いに機能的に結合し、本体７０を構成する。
【００４１】
ケース８０はベース８１およびカバー８３を含む。ベース８１はエアーポンプ９０、流路切替部１００、電源部９１、供給路９２、および、制御部９３のうちの少なくとも１つを取り付けるための構造物である。一例では、エアーポンプ９０、流路切替部１００、電源部９１、供給路９２、および、制御部９３はベース８１に取り付けられる。ベース８１を構成する材料は任意に選択できる。一例では、ベース８１はエアーマッサージ装置１の通常の使用において変形しない程度の剛性を有し、かつ、脚被覆部２０が下腿Ｌに装着された状態においてユーザに重量を感じさせにくい軽量な材料により構成される。ベース８１を構成する材料の一例は樹脂である。樹脂の一例はＡＢＳ（Acrylonitrile Butadiene Styrene）樹脂である。樹脂製のベース８１は成型品である。ベース８１は例えば第２方向Ｄ２に長い。ベース８１の内面８１Ａは例えば第１方向Ｄ１において中央に向かうにつれて盛り上がる凸形状である。
【００４２】
カバー８３は本体カバー８４および電源カバー８５を含む。本体カバー８４はベース８１を覆うようにベース８１に取り付けられる。本体カバー８４は例えば複数のねじ８７Ａによってベース８１に取り付けられる。本体カバー８４を構成する材料は任意に選択できる。一例では、本体カバー８４を構成する材料はベース８１を構成する材料と同じである。正面視における本体カバー８４の２次元形状は正面視におけるベース８１の２次元形状と実質的に同じである。本体カバー８４の外面８４Ａは例えば第１方向において中央に向かうにつれて盛り上がる凸形状である。すなわち、本体カバー８４はベース８１に取り付けられた各種の要素を収容できるようにベース８１に対して膨らんでいる。本体カバー８４は電源部９１を露出させる露出部８４Ｃを含む。露出部８４Ｃは例えば電源部９１の形状に沿う孔である。一例では、電源部９１が露出部８４Ｃを介して露出するように本体カバー８４がベース８１に取り付けられる。
【００４３】
電源カバー８５は電源部９１を覆うように本体カバー８４に取り付けられる。一例では、電源カバー８５はカバー取付部８６を介して本体カバー８４に取り付けられる。カバー取付部８６は例えば複数のねじ８７Ｂによって本体カバー８４に取り付けられる。電源カバー８５は例えば平板である。電源カバー８５はカバー取付部８６に着脱可能に構成される。一例では、電源カバー８５はカバー取付部８６に対してスライド可能に構成される。電源カバー８５とカバー取付部８６とが係合するように電源カバー８５をカバー取付部８６に対してスライドさせることによって、電源カバー８５がカバー取付部８６に取り付けられる。
【００４４】
図６に示されるように、ベース８１はエアーポンプ９０が取り付けられる第１取付部８２Ａ、流路切替部１００が取り付けられる第２取付部８２Ｂ、電源部９１が取り付けられる第３取付部８２Ｃ、制御部９３が取り付けられる第４取付部８２Ｄ、および、供給路９２が配置される配置部８２Ｆを含む。第１取付部８２Ａ、第２取付部８２Ｂ、第３取付部８２Ｃ、第４取付部８２Ｄ、および、配置部８２Ｆはそれぞれベース８１の内面８１Ａに設けられる。
【００４５】
エアーポンプ９０は複数のエアーバッグ６０に空気を供給可能に構成される。一例では、エアーポンプ９０から吐出される空気が複数のエアーバッグ６０に供給される。エアーポンプ９０の吐出風量は下腿Ｌを好適にマッサージ可能な吐出風量に設定される。エアーポンプ９０は例えば第２方向Ｄ２に長い。すなわち、エアーポンプ９０の長手方向はベース８１の長手方向と同じ方向である。このため、ベース８１を省スペースに構成できる。エアーポンプ９０は例えば第１生地２１と第２生地２２との間に設けられる。一例では、エアーポンプ９０は第１取付部８２Ａに取り付けられる。このため、エアーポンプ９０から吐出される空気の音が第１生地２１および第２生地２２によって防音される。この場合、第１生地２１および第２生地２２は高い遮音性を有することが好ましい。第１取付部８２Ａは例えば第２方向Ｄ２におけるベース８１の中央に設けられる。具体的には、第１取付部８２Ａはベース８１の内面８１Ａにおいて、第２方向Ｄ２における中央かつ第１方向Ｄ１における左方に設けられる。第１取付部８２Ａの形状は例えばエアーポンプ９０の形状に沿って凹んでいる（図示略）。図７に示される例では、ベース８１の外面８１Ｂのうちの第１取付部８２Ａと対応する部分（以下「膨張部８１Ｃ」）が膨らむように構成される。
【００４６】
図６に示されるように、流路切替部１００を構成する主な要素は少なくとも１つの電磁弁である。一例では、流路切替部１００を構成する主な要素は複数の電磁弁１０１〜１０３である。複数の電磁弁１０１〜１０３は例えば第１生地２１と第２生地２２との間に設けられる。一例では、複数の電磁弁１０１〜１０３は第２取付部８２Ｂに取り付けられる。第２取付部８２Ｂは例えば第２方向Ｄ２におけるベース８１の中央に設けられる。具体的には、第２取付部８２Ｂはベース８１の内面８１Ａにおいて、第２方向Ｄ２における中央かつ第１方向Ｄ１における右方に設けられる。すなわち、複数の電磁弁１０１〜１０３は第２方向Ｄ２においてエアーポンプ９０と実質的に同じ位置に配置される。
【００４７】
複数の電磁弁１０１〜１０３は第１電磁弁１０１、第２電磁弁１０２、および、第３電磁弁１０３を含む。第１電磁弁１０１、第２電磁弁１０２、および、第３電磁弁１０３は第２方向Ｄ２に沿って並べられる。第１電磁弁１０１は例えば三方電磁弁である。第１電磁弁１０１は第１エアーバッグ６１に関する空気の供給および排出の状態を切り替える。一例では、第１電磁弁１０１はエアーポンプ９０と第１供給口６４Ａとを接続する状態と、第１供給口６４Ａと第１排出口１０１Ａとを接続する状態とを切り替え可能である。第１排出口１０１Ａは例えば第１電磁弁１０１に設けられる。エアーポンプ９０と第１供給口６４Ａとが接続される場合、エアーポンプ９０から吐出される空気が第１エアーバッグ６１に供給される。第１供給口６４Ａと第１排出口１０１Ａとが接続される場合、第１エアーバッグ６１の空気が排気される。
【００４８】
第２電磁弁１０２は例えば三方電磁弁である。第２電磁弁１０２は第２エアーバッグ６２に関する空気の供給および排出の状態を切り替える。一例では、第２電磁弁１０２はエアーポンプ９０と第２供給口６４Ｂとを接続する状態と、第２供給口６４Ｂと第２排出口１０２Ａとを接続する状態とを切り替え可能である。第２排出口１０２Ａは例えば第２電磁弁１０２に設けられる。エアーポンプ９０と第２供給口６４Ｂとが接続される場合、エアーポンプ９０から吐出される空気が第２エアーバッグ６２に供給される。第２供給口６４Ｂと第２排出口１０２Ａとが接続される場合、第２エアーバッグ６２の空気が排気される。
【００４９】
第３電磁弁１０３は例えば三方電磁弁である。第３電磁弁１０３は第３エアーバッグ６３に関する空気の供給および排出の状態を切り替える。一例では、第３電磁弁１０３はエアーポンプ９０と第３供給口６４Ｃとを接続する状態と、第３供給口６４Ｃと第３排出口１０３Ａとを接続する状態とを切り替え可能である。第３排出口１０３Ａは例えば第３電磁弁１０３に設けられる。エアーポンプ９０と第３供給口６４Ｃとが接続される場合、エアーポンプ９０から吐出される空気が第３エアーバッグ６３に供給される。第３供給口６４Ｃと第３排出口１０３Ａとが接続される場合、第３エアーバッグ６３の空気が排気される。
【００５０】
電源部９１は本体７０に含まれる電気的な要素に電力を供給する。一例では、電源部９１はエアーポンプ９０および制御部９３に電力を供給する。電源部９１は例えば第１生地２１と第２生地２２との間に設けられる。電源部９１と第２生地２２との間にエアーバッグ６０が配置されるため、電源部９１の熱がユーザに伝達されにくい。一例では、電源部９１は第３取付部８２Ｃに取り付けられる。第３取付部８２Ｃは例えば第２方向Ｄ２においてエアーポンプ９０よりも下方に設けられる。電源部９１を構成する主な要素は電池９１Ａである。電池９１Ａは例えば第２方向Ｄ２に長い。すなわち、電池９１Ａの長手方向はベース８１の長手方向と同じ方向である。このため、ベース８１を省スペースに構成できる。電池９１Ａは一次電池または二次電池である。一例では、電池９１Ａは単三電池である。電池９１Ａの数の一例は２本である。
【００５１】
供給路９２はエアーポンプ９０から吐出された空気が複数のエアーバッグ６０に供給されるようにエアーポンプ９０とエアーバッグ６０とを接続する。一例では、供給路９２はエアーポンプ９０と各電磁弁１０１〜１０３とを接続している。供給路９２は例えば第１生地２１と第２生地２２との間に設けられる。一例では、供給路９２は配置部８２Ｆに配置される。配置部８２Ｆは例えば供給路９２がエアーポンプ９０から延びて電源部９１まわりを迂回し、各電磁弁１０１〜１０３に接続されるように電源部９１まわりに設けられる。電源部９１まわりにおける配置部８２Ｆの形状は供給路９２の形状に沿って凹んでいる（図示略）図７に示される例では、ベース８１の外面８１Ｂにおいて、電源部９１まわりにおける配置部８２Ｆと対応する部分が膨らむように構成される。
【００５２】
図６に示されるように、制御部９３はエアーポンプ９０、電源部９１、および、各電磁弁１０１〜１０３のそれぞれと電線ＥＷを介して電気的に接続されている。電線ＥＷの少なくとも一部は第１方向Ｄ１においてエアーポンプ９０と流路切替部１００との間を通過するように配線される。制御部９３は例えば電源部９１から供給される電力により駆動し、操作装置１１０の操作に応じてエアーポンプ９０および各電磁弁１０１〜１０３を制御する。制御部９３は例えば第１生地２１と第２生地２２との間に設けられる。一例では、制御部９３は第４取付部８２Ｄに取り付けられる。第４取付部８２Ｄは例えば第２方向Ｄ２においてエアーポンプ９０よりも上方に設けられる。一例では、第２方向Ｄ２における制御部９３と電源部９１との間にエアーポンプ９０および流路切替部１００が配置される。制御部９３を構成する主な要素は回路基板９３Ａである。回路基板９３Ａは例えば第２方向Ｄ２に長い。すなわち、回路基板９３Ａの長手方向はベース８１の長手方向と同じ方向である。このため、ベース８１を省スペースに構成できる。
【００５３】
エアーマッサージ装置１はマッサージ部５０について防音する防音部９４をさらに備える。防音部９４はマッサージ部５０から生じる音について防音する。防音はユーザに不快感を与えないようにマッサージ部５０から生じる音を小さくすること、または、マッサージ部５０から生じる音をユーザに伝達しないことである。防音部９４の防音の方法は例えば遮音、吸音、消音、および、防振のうちの少なくとも１つである。防音部９４の防音の方法が遮音である場合、防音部９４は例えば遮音構造（図示略）を含む。遮音構造はマッサージ部５０から生じる音が装着部１０の外部に漏れないように、または、装着部１０の外部に漏れる音が小さくなるように構成される。一例では、遮音構造は高い遮音性を有する生地を含む装着部、または、密閉された空間にマッサージ部５０を収容する収容部により構成される。防音部９４の防音の方法が吸音である場合、防音部９４は例えば吸音材（図示略）を含む。吸音材の一例はグラスウールおよびロックウールである。吸音材は例えばエアーバッグ６０、ベース８１、カバー８３、エアーポンプ９０、供給路９２、および、装着部１０のうちの少なくとも１箇所に設けられる。エアーバッグ６０、エアーポンプ９０、および、供給路９２に吸音材が設けられる場合、吸音材は例えば対象の要素の少なくとも一部を覆う。装着部１０に吸音材が設けられる場合、吸音材は例えば装着部１０を構成する生地に含まれる。防音部９４の防音の方法が消音である場合、防音部９４は例えばサイレンサ９４Ａを含む。サイレンサ９４Ａは例えばエアーバッグ６０の供給口６４Ａ〜６４Ｃ、エアーポンプ９０の吐出口（図示略）、および、供給路９２のうちの少なくとも１箇所に設けられる。防音部９４の防音の方法が防振である場合、防音部９４は例えば防振ゴム（図示略）を含む。防振ゴムは例えばエアーバッグ６０、ベース８１、カバー８３、エアーポンプ９０、および、供給路９２のうちの少なくとも１箇所に設けられる。
【００５４】
図６に示される例では、防音部９４の防音の方法は消音である。防音部９４はサイレンサ９４Ａを含む。サイレンサ９４Ａはエアーポンプ９０から吐出される空気の音を消音する。エアーポンプ９０から吐出される空気の音には、例えばエアーポンプ９０の動作音および共鳴音が含まれる。サイレンサ９４Ａは例えば拡張型消音器である。一例では、サイレンサ９４ＡはＬ字状に構成される。サイレンサ９４Ａは例えば第１生地２１と第２生地２２との間に設けられる。一例では、サイレンサ９４Ａはマッサージ部５０に設けられる。具体的には、サイレンサ９４Ａは供給路９２に設けられる。エアーポンプ９０から吐出される空気の音がエアーバッグ６０に伝達される前にサイレンサ９４Ａにより消音されるため、エアーポンプ９０から吐出される空気の音を好適に防音できる。また、エアーポンプ９０とサイレンサ９４Ａとの距離が近いため、エアーポンプ９０から吐出される空気の音を好適に防音できる。
【００５５】
ベース８１は防音部９４が取り付けられる第５取付部８２Ｅをさらに含む。すなわち、サイレンサ９４Ａは第５取付部８２Ｅに取り付けられる。第５取付部８２Ｅは例えば第２方向Ｄ２におけるベース８１の中央に設けられる。具体的には、第５取付部８２Ｅはベース８１の内面８１Ａにおいて、第２方向Ｄ２における中央かつ第１方向Ｄ１において流路切替部１００よりも右方に設けられる。
【００５６】
供給路９２は第１供給路９２Ａおよび第２供給路９２Ｂを含む。第１供給路９２Ａは例えばエアーポンプ９０とサイレンサ９４Ａとを接続する。一例では、第１供給路９２Ａはエアーポンプ９０から延び、電源部９１まわりを迂回してサイレンサ９４Ａに接続される。第２供給路９２Ｂは例えばサイレンサ９４Ａと各電磁弁１０１〜１０３のそれぞれとを接続する。一例では、第２供給路９２Ｂはサイレンサ９４Ａから延び、３本の供給路に分岐して各電磁弁１０１〜１０３のそれぞれに接続される。
【００５７】
図７に示されるように、ベース８１の外面８１Ｂは例えば第１方向Ｄ１において中央に向かうにつれて凹む凹形状である。この凹形状は例えば一般的な体型を有する人の下腿Ｌの形状に基づいて決められる。本体カバー８４の内面８４Ｂは例えば第１方向Ｄ１において中央に向かうにつれて凹む凹形状である。このため、ベース８１の内面８１Ａと本体カバー８４の内面８４Ｂとの間の空間に各種の要素を収容できる。
【００５８】
図６および図８に示されるように、正面視におけるベース８１の２次元形状は一般的な体型を有する人の下腿Ｌの形状に基づいて決められる。具体的には、正面視におけるベース８１の２次元形状は脹脛および足首の形状に沿う。一例では、第１方向Ｄ１におけるベース８１の長さにおいて、ベース８１のうちのエアーポンプ９０が配置される部分の長さ（以下「第１長さＬ１」）は、電源部９１が配置される部分の長さ（以下「第２長さＬ２」）よりも長い。ベース８１のうちのエアーポンプ９０が配置される部分は脹脛と対応する。第１長さＬ１は一般的な脹脛の太さに基づいて決められる。ベース８１のうちの電源部９１が配置される部分は足首と対応する。第２長さＬ２は一般的な足首の太さに基づいて決められる。
【００５９】
図９に示されるように、脚被覆部２０が下腿Ｌに装着された状態では、脚被覆部２０がベース８１の形状に応じて下腿Ｌに馴染む。この場合、脚被覆部２０のうちの足首に対応する部分が脹脛に対応する部分よりも細くなる。このため、下腿Ｌの背面視において脹脛から足首にかけて細くなるような下腿Ｌの外観が形成される。
【００６０】
図１０に示されるように、脚被覆部２０が下腿Ｌに装着された状態において、ベース８１のうちの足首と対応する部分には電源部９１が配置される。ベース８１の外面８１Ｂにおいて電源部９１と対応する部分が膨らんでいないため、脚被覆部２０のうちの足首に対応する部分が細くなる。このため、下腿Ｌの側面視において脹脛から足首にかけて細くなるような下腿Ｌの外観が形成される。
【００６１】
図１１に示されるように、脚被覆部２０が下腿Ｌに装着された状態において、ベース８１のうちの脹脛と対応する部分にはエアーポンプ９０が配置される。ベース８１の外面８１Ｂのうちのエアーポンプ９０と対応する部分である膨張部８１Ｃが膨らんでいるため、膨張部８１Ｃが脹脛を押すように作用する。このため、脹脛に対するマッサージ効果が向上する。また、膨張部８１Ｃの膨らみが脹脛によって吸収されるため、本体７０が下腿Ｌに対して盛り上がりにくい。このため、脚被覆部２０が下腿Ｌに装着された状態におけるエアーマッサージ装置１の外観が向上する。
【００６２】
図１２に示されるように、操作装置１１０と本体７０とがケーブルＣを介して電気的に接続されている。一例では、操作装置１１０と制御部９３とが電気的に接続されるようにケーブルＣが配線される。ケーブルＣは例えば第２方向Ｄ２において操作装置１１０の下方から延び、第２方向Ｄ２においてベース８１の上方からケース８０内に挿入されて制御部９３に接続される。第２方向Ｄ２における操作装置１１０とエアーポンプ９０との距離は、第２方向Ｄ２における操作装置１１０と制御部９３との距離よりも長い。このため、エアーポンプ９０の駆動に伴う振動が操作装置１１０に伝達されにくい。また、ケーブルＣの長さを短く設定できる。
【００６３】
操作装置１１０は１または複数のスイッチを含む。一例では、操作装置１１０はエアーマッサージ装置１の電源を投入するための電源スイッチ１１１を含む。電源スイッチ１１１は例えば操作装置１１０の外表面１１０Ａに設けられる。一例では、電源スイッチ１１１が操作されることにより制御部９３が起動し、複数のエアーバッグ６０が膨張および収縮するようにエアーポンプ９０および各電磁弁１０１〜１０３が制御される。
【００６４】
図１３に示されるように、操作装置１１０は脚被覆部２０の第１生地２１に取り付けられる。一例では、操作装置１１０は脚被覆部２０の第１生地２１にねじ止めされる（図示略）。操作装置１１０の配置は任意に選択できる。一例では、操作装置１１０は締付部２５Ａを構成する第１生地２１に取り付けられる。
【００６５】
本体７０は例えばカバー８３の少なくとも一部が第１生地２１の開口部２１Ｂ（図１４参照）から露出するように第１生地２１と第２生地２２との間に設けられる。一例では、本体７０は電源カバー８５およびカバー取付部８６が第１生地２１の開口部２１Ｂから露出するように第１生地２１と第２生地２２との間に設けられる。第３生地２３が捲られることにより電源カバー８５が外部に露出するため、電池９１Ａの交換が容易になる。
【００６６】
図１４に示されるように、第１生地２１は第３生地２３が捲られることにより電源カバー８５が露出するように本体７０に取り付けられる。本体７０に対する第１生地２１の取付方法は任意に選択できる。一例では、カバー取付部８６の縁８６Ａと本体カバー８４のうちの露出部８４Ｃまわりの外面８４Ａとの間で、第１生地２１のうちの開口部２１Ｂまわりの部分を挟み込むようにカバー取付部８６が本体カバー８４に取り付けられることによって、第１生地２１が本体７０に取り付けられる。
【００６７】
図１５に示されるように、制御部９３は操作装置１１０の操作に応じてエアーポンプ９０および各電磁弁１０１〜１０３を制御する。エアーポンプ９０から吐出される空気は第１供給路９２Ａ、防音部９４、および、第２供給路９２Ｂを介して各電磁弁１０１〜１０３に供給される。エアーポンプ９０と第１供給口６４Ａとが第１電磁弁１０１により接続される場合、第１電磁弁１０１に供給された空気が第１供給口６４Ａを介して第１エアーバッグ６１に供給され、第１エアーバッグ６１が膨張する。エアーポンプ９０と第２供給口６４Ｂとが第２電磁弁１０２により接続される場合、第２電磁弁１０２に供給された空気が第２供給口６４Ｂを介して第２エアーバッグ６２に供給され、第２エアーバッグ６２が膨張する。具体的には、第２電磁弁１０２に供給された空気が第２供給口６４Ｂを介して連結部６２Ｃに供給され、連結部６２Ｃに供給された空気が第１側部エアーバッグ６２Ａおよび第２側部エアーバッグ６２Ｂのそれぞれに供給される。エアーポンプ９０と第３供給口６４Ｃとが第３電磁弁１０３により接続される場合、第３電磁弁１０３に供給された空気が第３供給口６４Ｃを介して第３エアーバッグ６３に供給される。
【００６８】
一例では、制御部９３は操作装置１１０の操作に応じてエアーポンプ９０を駆動し、エアーポンプ９０と第２供給口６４Ｂとが接続されるように第２電磁弁１０２を制御する。エアーポンプ９０から吐出される空気が第２エアーバッグ６２に供給されるため、第１側部エアーバッグ６２Ａおよび第２側部エアーバッグ６２Ｂが互いに膨張し、ユーザの下腿Ｌの側面が各側部エアーバッグ６２Ａ、６２Ｂにより挟み込まれる。次に、制御部９３はエアーポンプ９０と第１供給口６４Ａとが接続されるように第１電磁弁１０１を制御する。エアーポンプ９０から吐出される空気が第１エアーバッグ６１に供給されるため、第１エアーバッグ６１が膨張し、ユーザの下腿Ｌの側面が各側部エアーバッグ６２Ａ、６２Ｂにより保持された状態で下腿Ｌの背面が第１エアーバッグ６１により押圧される。この場合、第１エアーバッグ６１が下腿Ｌに向けて大きく膨張するため、下腿Ｌの腓腹筋まわりが好適にマッサージされる。また、制御部９３はエアーポンプ９０と第３供給口６４Ｃとが接続されるように第３電磁弁１０３を適宜制御する。このため、下腿Ｌのヒラメ筋まわりが好適にマッサージされる。別の一例では、制御部９３は操作装置１１０の操作に応じてエアーポンプ９０を駆動し、第３エアーバッグ６３、第２エアーバッグ６２、および、第１エアーバッグ６１の順に膨張するように各電磁弁１０１〜１０３を制御する。このように、多様なマッサージ効果をユーザに提供できる。
【００６９】
図１６および図１７を参照して、エアーマッサージ装置１の使用方法の一例について説明する。
エアーマッサージ装置１は例えばユーザにより次の手順で使用される。図１６に示されるように、第１手順では、脚被覆部２０が下腿Ｌに巻き付けられ、脚被覆部２０の装着サイズが調節部３０により調節される。具体的には、脚被覆部２０が下腿Ｌにフィットするように各ループ３２Ｂ、３４Ｂが対応するフック３２Ａ、３４Ａに貼り合わせられる。第２手順では、操作装置１１０の電源スイッチ１１１が操作される。電源スイッチ１１１が操作されることによりエアーマッサージ装置１の電源が投入され、エアーマッサージ装置１が駆動し始める。このため、複数のエアーバッグ６０により下腿Ｌがマッサージされる。その後、エアーマッサージ装置１の動作が終了し、第３手順に移行する。
【００７０】
図１７に示されるように、第３手順では、脚被覆部２０の第１部分２４と第２部分２７とが分離するように結合分離部４０が操作される。具体的には、第１部分２４と第２部分２７とが分離するように、線ファスナ４１のスライダ４１Ａが第２方向Ｄ２における上方向に操作される。このため、脚被覆部２０の装着サイズが保持されたまま、脚被覆部２０を下腿Ｌから取り外すことができる。その後にエアーマッサージ装置１が再び使用される場合、第４手順に移行する。
【００７１】
第４手順では、第３手順により取り外された脚被覆部２０が下腿Ｌに巻き付けられ、脚被覆部２０の第１部分２４と第２部分２７とが結合するように結合分離部４０が操作される。具体的には、第１部分２４と第２部分２７とが結合するように、線ファスナ４１のスライダ４１Ａが第２方向Ｄ２における下方向に操作される。この手順では、脚被覆部２０の装着サイズの調節が完了した状態で脚被覆部２０が下腿Ｌに装着される。このため、エアーマッサージ装置１を使用する場合に脚被覆部２０の装着サイズを調節する手間が軽減される。また、面ファスナ３２、３４を剥がす動作の回数が低減するため、面ファスナ３２、３４を剥がす場合に生じる大きな音が発生する頻度が低減される。このため、快適な使用感をユーザに提供できる。第４手順以降では、例えば第２手順〜第４手順が繰り返される。
【００７２】
従来のエアーマッサージ装置では、エアーバッグが対象部位に与える力を強くするために吐出風量が大きいエアーポンプが搭載されている。エアーバッグが対象部位に与える力が強い場合、好適なマッサージが対象部位に提供される。一方、吐出風量が大きいエアーポンプではエアーポンプの駆動に伴う音が大きい。エアーポンプの駆動に伴う音にはエアーポンプの動作音および共鳴音が含まれる。このため、ユーザが不快感を覚えるおそれがある。
【００７３】
上記エアーマッサージ装置１はこの点を踏まえ、エアーポンプ９０から吐出される空気の音を消音するサイレンサ９４Ａを搭載している。この場合、エアーポンプ９０の駆動に伴う音がサイレンサ９４Ａにより低減されるため、ユーザが不快感を覚えにくい。このため、エアーマッサージ装置１によれば、快適な使用感をユーザに提供できる。また、エアーマッサージ装置１に搭載されるエアーポンプ９０の吐出風量が、従来のエアーマッサージ装置に搭載されるエアーポンプの吐出風量以上である場合、好適なマッサージをユーザに提供できる。また、エアーポンプ９０を搭載する本体７０が装着部１０に設けられるため、エアーポンプ９０とエアーバッグ６０とを接続する供給路９２を短く設定できる。このため、エアーマッサージ装置１を小型に構成できる。
【００７４】
（変更例）
実施の形態に関する説明は本発明に関するエアーマッサージ装置が取り得る形態の例示であり、その形態を制限することを意図していない。本発明は実施の形態以外に例えば以下に示される実施の形態の変更例、および、相互に矛盾しない少なくとも２つの変更例が組み合わせられた形態を取り得る。
【００７５】
・操作装置１１０の取付方法は任意に変更可能である。第１例では、操作装置１１０は脚被覆部２０の第１生地２１と一体に設けられる。第２例では、操作装置１１０は脚被覆部２０の第１生地２１に面ファスナを介して取り付けられる。この場合、操作装置１１０は第１生地２１に対して着脱可能に設けられる。
【００７６】
・本体７０を構成する各種の要素の配置は任意に変更可能である。第１例では、エアーポンプ９０はベース８１の内面８１Ａにおいて、第２方向Ｄ２における上方または下方に設けられる。第２例では、エアーポンプ９０は第１方向Ｄ１に長い。第３例では、流路切替部１００はベース８１の内面８１Ａにおいて、第２方向Ｄ２における上方または下方に設けられる。第４例では、電源部９１はベース８１の内面８１Ａにおいて、第２方向Ｄ２における上方または中央に設けられる。第５例では、電池９１Ａは第１方向Ｄ１に長い。第６例では、制御部９３はベース８１の内面８１Ａにおいて、第２方向Ｄ２における中央または下方に設けられる。第６例では、回路基板９３Ａは第１方向Ｄ１に長い。
【００７７】
・第１長さＬ１と第２長さＬ２との関係は任意に変更可能である。第１例では、第１長さＬ１は第２長さＬ２と実質的に同じである。第２例では、第１長さＬ１は第２長さＬ２よりも短い。
【００７８】
・第２エアーバッグ６２の構成は任意に変更可能である。第１例では、第２エアーバッグ６２の連結部６２Ｃが膨張するように構成される。第２例では、第１側部エアーバッグ６２Ａおよび第２側部エアーバッグ６２Ｂの少なくとも一方が第２エアーバッグ６２から省略される。
【００７９】
・エアーバッグ６０の構成は任意に変更可能である。第１例では、第１エアーバッグ６１、第２エアーバッグ６２、および、第３エアーバッグ６３のそれぞれが、一対のシートが互いに溶着されることにより構成される。第２例では、第１エアーバッグ６１、第２エアーバッグ６２、および、第３エアーバッグ６３が第１方向Ｄ１に並ぶ。
【００８０】
・エアーバッグ６０の数は任意に変更可能である。第１例では、エアーバッグ６０の数は２つ以下である。この場合、第１エアーバッグ６１、第２エアーバッグ６２、および、第３エアーバッグ６３の１つまたは２つが省略される。第２例では、エアーバッグ６０の数は４つ以上である。この場合、複数のエアーバッグ６０は第１エアーバッグ６１、第２エアーバッグ６２、および、第３エアーバッグ６３のうちの少なくとも１つに代えてまたは加えて別のエアーバッグをさらに含む。
【００８１】
・マッサージ部５０の構成は任意に変更可能である。一例では、マッサージ部５０は装着部１０と本体７０とを任意に着脱するための着脱構造を含む。第１例では、着脱構造はボルトまたはねじ等の固定手段により着脱する構造を含む。具体的には、着脱構造は装着部１０および本体７０のそれぞれに設けられる挿入部、ならびに、挿入部に挿入される固定手段により構成される。第２例では、着脱構造は面ファスナにより着脱する構造を含む。具体的には、着脱構造は装着部１０および本体７０の一方に設けられる面ファスナのフック、ならびに、装着部１０および本体７０の他方に設けられる面ファスナのループにより構成される。第３例では、着脱構造はスナップフィットにより着脱する構造を含む。具体的には、着脱構造は装着部１０および本体７０の一方に設けられる凹部、ならびに、装着部１０および本体７０の他方に設けられる凸部により構成される。着脱構造を含むエアーマッサージ装置１では、例えば装着部１０と本体７０とを分離した状態でエアーマッサージ装置１を収納できるため、収納性が高くなる。
【００８２】
・線ファスナ４１の構成は任意に変更可能である。第１例では、線ファスナ４１は止製品として構成される。第２例では、線ファスナ４１は逆開製品として構成される。第３例では、線ファスナ４１のスライダ４１Ａが第２方向Ｄ２における下方向に操作されることにより第１部分２４と第２部分２７とが分離され、スライダ４１Ａが第２方向Ｄ２における上方向に操作されることにより第１部分２４と第２部分２７とが結合される。
【００８３】
・結合分離部４０の配置は任意に変更可能である。第１例では、結合分離部４０は脚被覆部２０の第１端部２０Ａ寄りに設けられる。第２例では、結合分離部４０は第１方向Ｄ１において脚被覆部２０の中央寄りに設けられる。
【００８４】
・結合分離部４０の構成は任意に変更可能である。第１例では、結合分離部４０は１または複数のフックにより構成される。第２例では、結合分離部４０は１または複数のボタンにより構成される。
【００８５】
・面ファスナ３２のフック３２Ａとループ３２Ｂとの関係は任意に変更可能である。一例では、フック３２Ａが第１部分２４の第２生地２２に設けられ、ループ３２Ｂが第２部分２７の第１生地２１に設けられる。なお、面ファスナ３４のフック３４Ａとループ３４Ｂとの関係においても同様の変更例が成立する。
【００８６】
・脚被覆部２０の構成は任意に変更可能である。第１例では、副部分２６は主部分２５と一体に構成される。第２例では、第３生地２３が脚被覆部２０から省略される。この場合、開口部２１Ｂが第１生地２１から省略されてもよい。
【００８７】
・装着部１０の構成は任意に変更可能である。一例では、調節部３０および結合分離部４０が装着部１０から省略される。調節部３０が装着部１０から省略される例では、装着部１０は足先から履くように下腿Ｌに装着されるアタッチメントを構成する。
【００８８】
・装着部１０の装着対象（対象部位）は任意に変更可能である。第１例では、対象部位は大腿である。第２例では、対象部位は上腕である。第３例では、対象部位は前腕である。なお、装着部１０は大腿および下腿Ｌを跨ぐように装着されてもよく、上腕および前腕を跨ぐように装着されてもよい。
【００８９】
・左半身用のエアーマッサージ装置１と右半身用のエアーマッサージ装置との関係は任意に変更可能である。一例では、左半身用のエアーマッサージ装置１の形状は右半身用のエアーマッサージ装置の形状と実質的に同じである。
【産業上の利用可能性】
【００９０】
本発明に関するエアーマッサージ装置は、家庭用および業務用をはじめとする各種のエアーマッサージ装置に利用できる。
【符号の説明】
【００９１】
１      ：エアーマッサージ装置
１０    ：装着部
２１    ：第１生地
２２    ：第２生地
５０    ：マッサージ部
６０    ：エアーバッグ
６１    ：第１エアーバッグ
６１Ａ  ：側部
６１Ｂ  ：側部
６２    ：第２エアーバッグ
６２Ａ  ：第１側部エアーバッグ
６２Ｂ  ：第２側部エアーバッグ
６２Ｃ  ：連結部
６３    ：第３エアーバッグ
９０    ：エアーポンプ
９２    ：供給路
９４    ：防音部
９４Ａ  ：サイレンサ
Ｄ１    ：第１方向
Ｄ２    ：第２方向
Ｌ      ：下腿（対象部位）
ＷＡ    ：幅
ＷＢ    ：幅
ＷＣ    ：幅
【図１】
2019205628.tif 000003
【図２】
2019205628.tif 000004
【図３】
2019205628.tif 000005
【図４】
2019205628.tif 000006
【図５】
2019205628.tif 000007
【図６】
2019205628.tif 000008
【図７】
2019205628.tif 000009
【図８】
2019205628.tif 000010
【図９】
2019205628.tif 000011
【図１０】
2019205628.tif 000012
【図１１】
2019205628.tif 000013
【図１２】
2019205628.tif 000014
【図１３】
2019205628.tif 000015
【図１４】
2019205628.tif 000016
【図１５】
2019205628.tif 000017
【図１６】
2019205628.tif 000018
【図１７】
2019205628.tif 000019